(57)【要約】【課題】使用時に香炉トレーをケースから引出してスライド方向と直角に回転させ、墓参から帰る時にはケース内に収納して、火災の危険や、灰の周囲への飛散を防止した墓前用香炉を提供するものである。【解決手段】前面に開口部５を形成した本体ケース１の内側に、スライドフレーム２を前記開口部５から所定の距離だけ引き出し自在に取付け、この上部に開口部５を塞ぐカバー６が取付けられたテーブル３を引き出し自在に取付け、スライドフレーム２の内側にラック２６を取付け、前記テーブル３を上下に貫通する回転軸１５を取付け、この上部に香炉トレー４を一体に取付けると共に、回転軸１５の下部に前記ラック２６と噛合するピニオン歯車１９を取付け、テーブルを引き出すことにより、香炉トレー４がスライド方向と直角に回転するようにしたものである。【選択図】  図８
2007247146.tif 000002
【特許請求の範囲】
【請求項１】
前面に開口部を形成した本体ケースの内側に、スライドフレームを前記開口部から所定の距離だけ引き出し自在に取付け、このスライドフレームの上部に、前記開口部を塞ぐカバーが取付けられたテーブルを引き出し自在に取付け、スライドフレームの内側にラックをスライド方向に取付け、前記テーブルを上下に貫通する回転軸を取付け、この回転軸の上部に香炉トレーを一体に取付けると共に、回転軸の下部に前記ラックと噛合するピニオン歯車を取付け、テーブルと一体にスライドフレームを本体ケースから所定の距離だけ引き出して、更にテーブルだけを引き出すことにより、ラックと噛合するピニオン歯車が回転して、香炉トレーがスライド方向と直角に回転するようにしたことを特徴とする墓前用香炉。
【請求項２】
テーブルの下部にガイドシャフトとこれを囲むようにコイルスプリングを取付け、更にコイルスプリングを収納するボックスを設けて、このボックスの側面にラックを取付けると共に、ボックスの停止位置を規制するストッパーをスライドフレームに取付けたことを特徴とする請求項１記載の墓前用香炉。
【発明の詳細な説明】
【技術分野】
【０００１】
本発明は、墓前用香炉に関するものである。
【背景技術】
【０００２】
一般に墓前には前後を開口した石材製の香炉が設置され、墓参した時に香炉に線香を立ててお参りしている。従来の香炉は、前後を開口した石材製で、屋外に設置されているため、線香に火が付いたまま帰ると、風で飛ばされて火災の原因となったり、灰が周囲に飛散して汚れるなどの問題があった。
【発明の開示】
【発明が解決しようとする課題】
【０００３】
本発明は上記問題を改善し、使用時に香炉トレーをケースから引出してスライド方向と直角に回転させ、墓参から帰る時にはケース内に収納して、火災の危険や、灰の周囲への飛散を防止した墓前用香炉を提供するものである。
【課題を解決するための手段】
【０００４】
本発明の請求項１記載の墓前用香炉は、前面に開口部を形成した本体ケースの内側に、スライドフレームを前記開口部から所定の距離だけ引き出し自在に取付け、このスライドフレームの上部に、前記開口部を塞ぐカバーが取付けられたテーブルを引き出し自在に取付け、スライドフレームの内側にラックをスライド方向に取付け、前記テーブルを上下に貫通する回転軸を取付け、この回転軸の上部に香炉トレーを一体に取付けると共に、回転軸の下部に前記ラックと噛合するピニオン歯車を取付け、テーブルと一体にスライドフレームを本体ケースから所定の距離だけ引き出して、更にテーブルだけを引き出すことにより、ラックと噛合するピニオン歯車が回転して、香炉トレーがスライド方向と直角に回転するようにしたことを特徴とするものである。
【０００５】
本発明の請求項２記載の墓前用香炉は、テーブルの下部にガイドシャフトとこれを囲むようにコイルスプリングを取付け、更にコイルスプリングを収納するボックスを設けて、このボックスの側面にラックを取付けると共に、ボックスの停止位置を規制するストッパーをスライドフレームに取付けたことを特徴とするものである。
【発明の効果】
【０００６】
本発明に係る請求項１記載の墓前用香炉によれば、テーブルを手前側に引っ張ると、スライドフレームと一体になって本体ケースの開口部から引き出され、スライドフレームが所定の距離引出されると、テーブルだけが引出され、この時、ラックが相対的に移動してピニオン歯車１９が回転し、ピニオン歯車の回転軸の上部に取付けた香炉トレーも回転して、スライド方向と直角になる。このため、手前にテーブルを引き出すだけで、スライド方向に沿って収納されていた香炉トレーがスライド方向と直角に回転するので、線香を横向きに置くことができる。また墓参を終えて帰る時には、テーブルを戻すと、スライド方向と直角になっていた香炉トレーが回転してスライド方向に復帰して、本体ケース内に収納されるので、火災の危険や、灰の周囲への飛散を防止することができる。
【０００７】
また請求項２記載の墓前用香炉によれば、テーブルのロックを解除すると、押し縮められていたコイルスプリングの弾性力によりボックスが手前側に移動し、この側面に取付けたラックも移動し、これと噛合するピニオン歯車が逆回転して香炉トレーが自動的にスライド方向に復帰することができる。
【発明を実施するための最良の形態】
【０００８】
以下本発明の実施の一形態を図１ないし図８を参照して詳細に説明する。墓前用香炉は、本体ケース１と、スライドフレーム２と、この上に引き出し自在に取付けられたテーブル３と、この上に回転自在に設けられた香炉トレー４とから構成されている。前記本体ケース１はステンレスなどの金属板で形成され、前面下部側に開口部５が形成されている。
【０００９】
スライドフレーム２は、本体ケース１に引き出し自在に取付けられ、更にスライドフレーム２の上に引き出し自在にテーブル３が取付けられ、テーブル３の先端に垂直に設けたカバー６の前面につまみ７が取付けられ、つまみ７を持って引き出すことにより香炉トレー４を取付けたテーブル３とスライドフレーム２が一体となって、本体ケース１の開口部５から引き出されるようになっている。
【００１０】
また前記スライドフレーム２は、枠状に形成され、図４に示すようにこの左右側面には、本体ケース１の左右内壁に取付けたガイドレール９と摺動するスライダー１０が取付けられている。またスライダー１０には図示しないストッパーが設けられ、スライドフレーム２が所定の距離だけ引き出されるようになっている。また図２に示すように、スライドフレーム２には雄側ラッチ１１が取付けられ、テーブル３の裏面に取付けた雌側ラッチ１２と着脱自在に連結されるようになっている。また図３に示すようにスライドフレーム２の前部側にはストッパー１３が取付けられている。
【００１１】
またテーブル３は図４に示すようにスライドフレーム２に摺動自在に組み合わされ、テーブル３を上下に貫通する回転軸１５が取付けられ、この回転軸１５の上部に香炉トレー４が一体に接続されて、回転軸１５と共に回転するようになっている。またこの香炉トレー４の内側には金網１６を取付けた灰皿１７が着脱自在に収納されている。
【００１２】
また回転軸１５の下部は、図２に示すように円形の取付板１８が接続され、この上面に約４分の１円のピニオン歯車１９が取付けられている。またテーブル３の下部には、図３に示すように前側が細く形成されたガイドシャフト２０がスライド方向に沿って取付けられている。このガイドシャフト２０の細く形成された小径部２０ａにはコイルスプリング２１が取付けられ、このコイルスプリング２１を囲むようにボックス２２が取付けられている。
【００１３】
このボックス２２の前面板にはガイドシャフト２０の細く形成された小径部２０ａが貫通するシャフト孔が形成され、背面板にはガイドシャフト２０の太く形成された大径部２０ｂが貫通するシャフト孔が形成され、ここを貫通するガイドシャフト２０に沿ってボックス２２が移動できるようになっている。また図３に示すようにテーブル３の底面には、ボックス２２の前面上部に当接するストッパー２３が取付けられている。
【００１４】
またボックス２２の側面には図２に示すように、ラック２６がスライド方向に沿って取付けられ、これと前記ピニオン歯車１９が噛合するようになっている。またテーブル３の裏面に弾性体で形成されたロータリーダンパー２５が取付けられ、前記ラック２６と噛合して、ラック２６とピニオン歯車１９との相対的な移動を抑制するようになっている。
【００１５】
上記構成の墓前用香炉は、収納状態では図２および図３に示すように、香炉トレー４は本体ケース１内に収納され、風雨や埃の侵入を防止している。墓参して線香を立てる時に、カバー６の前面に取付けたつまみ７を手でつまんで手前側に引っ張ると、テーブル３が引出される。この時、スライドフレーム２とテーブル３は図４に示すように嵌合して組み合わされ、ガイドレール９とスライダー１０は滑らかにスライドするようになっているので、図５に示すようにテーブル３と一体になってスライドフレーム２も開口部５から引き出されて来る。
【００１６】
更につまみ７を手前側に引っ張ると、図６に示すように本体ケース１に取付けた図示しないストッパーによりスライドフレーム２が係合して、スライドフレーム２が停止する。更につまみ７を手前側に引っ張ると、今度はテーブル３だけが引き出され、スライドフレーム２に取付けたストッパー１３がボックス２２の前面に当接する。
【００１７】
この後、更につまみ７を手前側に引っ張ってテーブル３が前進すると、ボックス２２の前面がストッパー１３により押されて、ガイドシャフト２０に沿って後退し、内側のコイルスプリング２１が押し縮められる。ボックス２２が後退すると、この側面に取付けたラック２６も移動する。この結果、図２に示すピニオン歯車１９がラック２６の移動により回転し、ピニオン歯車１９の回転軸１５も回転して、図１に示すように香炉トレー４が回転を始める。
【００１８】
この後、更につまみ７を手前側に引っ張ると、ピニオン歯車１９と共に香炉トレー４が９０度回転して、香炉トレー４は図７および図８に示すように、スライド方向と直角になる。この時、図７に示すようにスライドフレーム２に取付けた雄側ラッチ１１と、テーブル３に取付けた雌側ラッチ１２がかみ合ってロックされ、香炉トレー４がスライド方向と直角に固定される。
【００１９】
このようにセットした状態で、線香に点火してから線香を横にして灰皿１７の金網１６の上に載せてお参りをする。また帰る時には、つまみ７を少し手前に引いて雄側ラッチ１１と雌側ラッチ１２のロックを解除すると、押し縮められていたコイルスプリング２１の弾性力によりボックス２２が手前側に移動し、この側面に取付けたラック２６も移動し、これと噛合するピニオン歯車１９が逆回転して香炉トレー４がスライド方向に自動的に復帰する。この後、つまみ７を更に押し込んで行くと、前述とは逆の動作により香炉トレー４が、テーブル３およびスライドフレーム２と共に本体ケース１内に収納される。
【００２０】
なお上記説明ではガイドシャフト２０にコイルスプリング２１を取付け、これを囲むボックス２２をガイドシャフト２０に沿って可動自在に設け、香炉トレー４が自動的に復帰回転するようにした構造について示したが、スライドフレーム２側にラック２６を取付け、これと噛合するピニオン歯車１９をテーブル３側に取付けた構造でも良い。
【図面の簡単な説明】
【００２１】
【図１】本発明の実施の一形態による香炉トレーが回転し始めた状態を示す墓前用香炉の斜視図である。
【図２】図１の香炉トレーを本体ケース内に収納した状態を示す墓前用香炉の水平断面図である。
【図３】図２の墓前用香炉を示す縦断側面図である。
【図４】図３の墓前用香炉を示す縦断正面図である。
【図５】図３の香炉トレーを本体ケースから少し引き出した状態を示す墓前用香炉の縦断側面図である。
【図６】図５の状態から香炉トレーを本体ケースから更に引き出した状態を示す墓前用香炉の縦断側面図である。
【図７】図６の状態から香炉トレーを本体ケースから更に引き出して香炉トレーが回転した状態を示す墓前用香炉の縦断側面図である。
【図８】香炉トレーがスライド方向と直角に回転した状態を示す墓前用香炉の斜視図である。
【符号の説明】
【００２２】
１    本体ケース                                            
２    スライドフレーム                                      
３    テーブル                                              
４    香炉トレー                                            
５    開口部                                                
６    カバー                                                
７    つまみ                                                
９    ガイドレール                                          
１０  スライダー                                            
１３  ストッパー                                            
１５  回転軸                                                
１６  金網                                                  
１７  灰皿                                                  
１９  ピニオン歯車                                          
２０  ガイドシャフト                                        
２０ａ  小径部                                              
２０ｂ  大径部                                              
２１  コイルスプリング                                      
２２  ボックス        
２３  ストッパー          
２５  ロータリーダンパー      
２６  ラック        
【図１】
2007247146.tif 000003
【図２】
2007247146.tif 000004
【図３】
2007247146.tif 000005
【図４】
2007247146.tif 000006
【図５】
2007247146.tif 000007
【図６】
2007247146.tif 000008
【図７】
2007247146.tif 000009
【図８】
2007247146.tif 000010